(57)【要約】本発明は、１つまたは複数のマクロセルおよび１つまたは複数のフェムトセルを含む無線通信システムと通信するように構成されたユーザ機器で実施される方法を提供する。この方法は、ユーザ機器で、ユーザ機器の位置および１つまたは複数のフェムトセルの位置を比較するステップを含む。この方法は、比較が、ユーザ機器がフェムトセル（１つまたは複数）の選択された範囲内にあることを示すときに、ユーザ機器からマクロセル（１つまたは複数）に、位置ベースのイベントと共に第１測定値レポートを送信するステップをも含む。
2012507912.tif 000002
【特許請求の範囲】
【請求項１】
少なくとも１つのマクロセルおよび少なくとも１つのフェムトセルを含む無線通信システムと通信するように構成されたユーザ機器で実施される方法であって、
前記ユーザ機器で、前記ユーザ機器の位置および前記少なくとも１つのフェムトセルの位置を比較するステップと、
前記比較が、前記ユーザ機器が前記少なくとも１つのフェムトセルの選択された範囲内にあることを示すときに、前記ユーザ機器から前記少なくとも１つのマクロセルに、第１測定値レポートを送信するステップと
を含む方法。
【請求項２】
前記少なくとも１つのフェムトセルによって送信されたパイロット・チャネルの少なくとも１つのパラメータを測定するステップと、前記ユーザ機器が前記少なくとも１つのフェムトセルの選択された範囲内にあり、前記パイロット・チャネルの前記少なくとも１つのパラメータが選択されたしきい値より大きいときに、前記測定値レポートを送信するステップとを含み、前記パイロット・チャネルの前記少なくとも１つのパラメータを測定するステップは、信号対雑音比または受信信号チャネル電力のうちの少なくとも１つを測定するステップを含む、請求項１に記載の方法。
【請求項３】
前記ユーザ機器で、無線ネットワーク制御装置で生成され、前記少なくとも１つのマクロセルによって前記ユーザ機器に供給された情報を使用して第１の位置ベースのイベントを構成するステップを含み、前記第１イベントは、前記少なくとも１つのフェムトセルによって使用される少なくとも１つの周波数が前記少なくとも１つのマクロセルによって使用される少なくとも１つの周波数と同一であるときに生成され、前記第１測定値レポートを送信するステップは、前記第１の位置ベースのイベントと、プライマリ・スクランブリング・コード、タイミング情報、オフセット情報、パイロット・チャネル信号対雑音比、またはパイロット・チャネル受信信号チャネル電力のうちの少なくとも１つとを含む第１測定値レポートを送信するステップを含む、請求項１に記載の方法。
【請求項４】
前記ユーザ機器で、無線ネットワーク制御装置で生成され、前記少なくとも１つのマクロセルによって前記ユーザ機器に供給された情報を使用して第２の位置ベースのイベントを構成するステップを含み、前記第２の位置ベースのイベントは、前記少なくとも１つのフェムトセルによって使用される少なくとも１つの周波数が、前記少なくとも１つのマクロセルによって使用される少なくとも１つの周波数と異なるときに生成され、前記第１測定値レポートを送信するステップは、前記第２の位置ベースのイベントおよびインター周波数圧縮モードをアクティブ化する要求を含む第１測定値レポートを送信するステップを含む、請求項１に記載の方法。
【請求項５】
前記インター周波数圧縮モードで、前記少なくとも１つのフェムトセルによって送信されたパイロット・チャネルの信号対雑音比または受信信号チャネル電力のうちの少なくとも１つを測定するステップと、前記パイロット・チャネルの前記少なくとも１つのパラメータが選択されたしきい値より大きいときに第２測定値レポートを送信するステップとを含み、前記第２測定値レポートを送信するステップは、プライマリ・スクランブリング・コード、タイミング情報、オフセット情報、前記パイロット・チャネル信号対雑音比、または前記パイロット・チャネル受信信号チャネル電力のうちの少なくとも１つとを含む第２測定値レポートを送信するステップを含む、請求項４に記載の方法。
【請求項６】
前記ユーザ機器から前記少なくとも１つのフェムトセルに呼接続要求を提供するステップと、
前記呼接続要求を提供するステップに応答して、前記ユーザ機器で前記少なくとも１つのフェムトセルから、前記少なくとも１つのフェムトセルの位置を示す情報および前記少なくとも１つのフェムトセルが前記ユーザ機器に関連するプレミア・フェムトセルであることを示す情報を受信するステップと、
前記プレミア・フェムトセルの位置を示す情報を前記ユーザ機器内で格納するステップと
によって前記ユーザ機器に関連する少なくとも１つのプレミア・フェムトセルとして前記少なくとも１つのフェムトセルを識別するステップを含む、請求項１に記載の方法。
【請求項７】
少なくとも１つのマクロセルおよび少なくとも１つのフェムトセルを含む無線通信システムでの展開のために構成された無線ネットワーク制御装置で実施される方法であって、
前記少なくとも１つのマクロセルから、前記ユーザ機器に関連する位置と前記少なくとも１つのフェムトセルに関連する位置との比較が、前記ユーザ機器が前記少なくとも１つのフェムトセルの選択された範囲内にあることを示すときに前記ユーザ機器によって送信される第１測定値レポートを受信するステップ
を含む方法。
【請求項８】
前記無線ネットワーク制御装置で、前記少なくとも１つのフェムトセルによって使用される少なくとも１つの周波数が、前記少なくとも１つのマクロセルによって使用される少なくとも１つの周波数と同一であるときに、第１の位置ベースのイベントを生成するステップと、
前記第１の位置ベースのイベントを示す情報を含む測定制御メッセージを前記ユーザ機器に提供するステップと
を含む、請求項７に記載の方法。
【請求項９】
前記無線ネットワーク制御装置で、第２の位置ベースのイベントを生成するステップと、前記第２の位置ベースのイベントを示す情報を前記少なくとも１つのマクロセルを介して前記ユーザ機器に提供するステップとを含み、前記第２イベントは、前記少なくとも１つのフェムトセルによって使用される少なくとも１つの周波数が、前記少なくとも１つのマクロセルによって使用される少なくとも１つの周波数と異なるときに生成され、前記測定値レポートを受信するステップは、前記第２の位置ベースのイベントおよびインター周波数圧縮モードをアクティブ化する要求を含む測定値レポートを受信するステップを含む、請求項７に記載の方法。
【請求項１０】
前記無線ネットワーク制御装置で、前記ユーザ機器から呼接続要求を受信するステップと、
前記呼接続要求に応答して、前記無線ネットワーク制御装置から前記ユーザ機器に呼接続セット・アップ・メッセージを提供するステップと、
前記呼接続セット・アップ・メッセージに応答して、前記無線ネットワーク制御装置で、前記ユーザ機器から、プレミア・フェムトセルとして働くための前記少なくとも１つのフェムトセルの可用性および前記ユーザ機器と前記少なくとも１つのプレミア・フェムトセルとの間で伝送に使用される少なくとも１つの周波数を示す情報を受信するステップと、
前記無線ネットワーク制御装置で、前記少なくとも１つのプレミア・フェムトセルの前記可用性および前記少なくとも１つの周波数を示す前記情報を格納するステップと
によって、前記少なくとも１つのフェムトセルが前記ユーザ機器に関連するプレミア・フェムトセルであることを識別するステップを含む、請求項７に記載の方法。
【発明の詳細な説明】
【技術分野】
【０００１】
関連出願の相互参照
本願は、２００８年１１月５日に出願した米国特許出願第１２／２６５，１３６号、名称「ＬＯＣＡＴＩＯＮ−ＢＡＳＥＤ  ＨＡＮＤＯＶＥＲＳ  ＦＲＯＭ  Ａ  ＭＡＣＲＯＣＥＬＬ  ＴＯ  Ａ  ＦＥＭＴＯＣＥＬＬ  ＵＳＩＮＧ  ＰＥＲＩＯＤＩＣ  ＭＥＡＳＵＲＥＭＥＮＴ  ＲＥＰＯＲＴＩＮＧ」、発明人ＣＲＩＳＴＩＡＮ  ＤＥＭＥＴＲＥＳＣＵおよびＳＵＡＴ  ＥＳＫＩＣＩＯＧＬＵ（２１００．０４３１００）に関連する。
【０００２】
本願は、２００８年１１月５日に出願した米国特許出願第１２／２６５，１７３号、名称「ＭＥＴＨＯＤ  ＦＯＲ  ＡＳＳＯＣＩＡＴＩＮＧ  Ａ  ＣＬＵＳＴＥＲ  ＯＦ  ＰＲＥＭＩＥＲ  ＦＥＭＴＯＣＥＬＬＳ  ＷＩＴＨ  ＵＳＥＲ  ＥＱＵＩＰＭＥＮＴ」、発明人ＣＲＩＳＴＩＡＮ  ＤＥＭＥＴＲＥＳＣＵおよびＳＵＡＴ  ＥＳＫＩＣＩＯＧＬＵ（２１００．０４３３００）に関連する。
【０００３】
本願は、２００８年１１月５日に出願した米国特許出願第１２／２６５，２１５号、名称「ＭＥＴＨＯＤ  ＦＯＲ  ＡＳＳＯＣＩＡＴＩＮＧ  Ａ  ＰＲＥＭＩＥＲ  ＦＥＭＴＯＣＥＬＬ  ＷＩＴＨ  ＵＳＥＲ  ＥＱＵＩＰＭＥＮＴ」、発明人ＣＲＩＳＴＩＡＮ  ＤＥＭＥＴＲＥＳＣＵおよびＳＵＡＴ  ＥＳＫＩＣＩＯＧＬＵ（２１００．０４３４００）に関連する。
【０００４】
本発明は、全般的には通信システムに関し、より具体的には無線通信システムに関する。
【背景技術】
【０００５】
従来の無線通信システムは、基地局のネットワークを使用して、１つまたは複数のモバイル・ユニットに無線接続性を提供する。いくつかの場合に、モバイル・ユニットは、たとえばモバイル・ユニットのユーザが音声呼またはデータ呼を開始したい時に、ネットワーク内の１つまたは複数の基地局との無線通信を開始することができる。その代わりに、ネットワークが、モバイル・ユニットとの無線通信リンクを開始する場合がある。たとえば、従来の階層無線通信では、サーバが、ターゲット・モバイル・ユニット宛の音声および／またはデータを無線ネットワーク制御装置（ＲＮＣ）などの中央要素に送信する。ＲＮＣは、その後、１つまたは複数の基地局もしくはｎｏｄｅ−Ｂを介してターゲット・モバイル・ユニットにページング・メッセージを送信することができる。ターゲット・モバイル・ユニットは、無線通信システムからのページの受信に応答して、基地局のうちの１つまたは複数への無線リンクを確立することができる。ＲＮＣ内の無線リソース管理機能は、音声および／またはデータを受信し、基地局の組によって使用される無線リソースおよび時間リソースを調整して、情報をターゲット・モバイル・ユニットに送信する。無線リソース管理機能は、細粒度の制御を実行して、基地局の組を介するブロードキャスト送信のためにリソースを割り当て、解放することができる。
【０００６】
従来の基地局は、セル、マクロセル、および／またはセクタと呼ばれる地理的領域内で無線接続性を提供する。従来の基地局は、所定の量の使用可能送信電力を使用して信号を送信することができ、この使用可能送信電力は、いくつかの場合に、基地局について約３５Ｗである。マクロセルの範囲は、使用可能送信電力、使用可能電力の角度分布、マクロセル内の障害物、環境条件、および類似物を含む多数の要因によって決定される。たとえば、マクロセルの範囲は、人口密度の高い都市環境での３００ｍほどの小さいものから人口密度の低い田舎環境での１０ｋｍほどの大きいものまで変化し得る。カバレージ・エリアは、これらのパラメータのいずれかが変化する場合に、経時的にも変化し得る。
【０００７】
従来の階層ネットワーク・アーキテクチャに対する１つの代替案は、分散通信ネットワーク機能性を実施する、基地局ルータなどのアクセス・ポイントのネットワークを含む分散アーキテクチャである。たとえば、各基地局ルータは、１つまたは複数のモバイル・ユニットとインターネットなどの外部ネットワークとの間の無線リンクを管理する単一のエンティティ内でＲＮＣ機能および／またはＰＤＳＮ機能を組み合わせることができる。基地局ルータは、セルラ・アクセス・テクノロジを完全にカプセル化し、コア・ネットワーク要素サポートを利用する機能性を同等のＩＰ機能にプロキシすることができる。たとえば、ＵＭＴＳ基地局ルータでのＩＰアンカリングを、Ｍｏｂｉｌｅ  ＩＰ  Ｈｏｍｅ  Ａｇｅｎｔ（ＨＡ）機能と、基地局ルータが同等のＭｏｂｉｌｅ  ＩＰシグナリングを介してプロキシするＧＧＳＮアンカリング機能とを介して提供することができる。階層ネットワークと比較して、分散アーキテクチャは、ネットワーク展開のコストおよび／または複雑さならびに既存ネットワークのカバレージを拡張するために追加の無線アクセス・ポイント、たとえば基地局ルータを追加することのコストおよび／または複雑さを減らす潜在能力を有する。分散ネットワークは、ユーザによって経験される遅延をも（階層ネットワークと比較して）減らすことができる。というのは、階層ネットワーク内の別々のＲＮＣエンティティおよびＰＤＳＮエンティティでのパケット・キューイング遅延を減らすか除去することができるからである。
【０００８】
少なくとも部分的に、基地局ルータ展開の減らされたコストおよび複雑さのゆえに、基地局ルータを、従来の基地局にとって非実用的な位置に展開することができる。たとえば、基地局ルータを、住居またはビルディング内に展開して、ビルディングの住居の入居者に無線接続性を提供することができる。住居内に展開された基地局ルータは、通常はホーム基地局ルータまたはホーム・フェムトセルと呼ばれる。というのは、それらが、住居を含む非常に小さい区域（たとえばフェムトセル）に無線接続性を提供することを意図されているからである。フェムトセルは、マクロセルにカバレージを提供するのに使用される従来の基地局よりはるかに小さい電力出力を有する。たとえば、通常のフェムトセルは、１０ｍＷ程度の送信電力を有する。その結果、通常のフェムトセルの範囲は、マクロセルの範囲よりはるかに小さい。たとえば、フェムトセルの通常の範囲は、約１００ｍである。フェムトセルのクラスタを展開して、より大きい区域および／またはより多くのユーザにカバレージを提供することもできる。
【０００９】
フェムトセルは、マクロ−セルラ・ネットワークに関連してオーバーレイ構成で展開されると期待される。たとえば、マクロ−セルラ・ネットワークを使用して、多数の住居を含む近くに無線接続性を提供することができる。近くを通って移動するか住居のうちの１つの中に配置された任意のモバイル・ユニットは、マクロ−セルラ・ネットワークを使用して無線通信システムにアクセスすることができる。個々のフェムトセルを、住居のうちの１つまたは複数内で展開して、住居内（またはその付近）でオーバーレイ・カバレージを提供することができる。フェムトセルのクラスタを、ビルディングのうちの１つまたは複数内で展開して、ビルディング内（またはその付近）でオーバーレイ・カバレージを提供することもできる。どちらの場合でも、マクロセルとカバレージ・エリア内のフェムトセルとの間に１対多関係がある。しかし、ユーザ機器は、通常、選択されたフェムトセルにキャンプすることだけを許可される。たとえば、個々のユーザによって操作されるユーザ機器を、ユーザによって彼らの住居内にインストールされたフェムトセルにキャンプすることを許可されるものとすることができる。もう１つの例として、従業員によって操作されるユーザ機器を、会社によってインストールされたフェムトセル・クラスタ内のフェムトセルにキャンプすることを許可されるものとすることができる。
【００１０】
ユーザが、マクロセルおよびフェムトセルによってサービスされる地理的区域中いたるところに移動する時に、ユーザ機器を、マクロセルおよび／またはフェムトセルの間でハンド・オフすることができる。従来の通信システムは、ユーザ機器をハンド・オフすべき時を決定するのに、無線条件および／または無線リソースの可用性を使用する。たとえば、チャネル品質および／または信号強度を、ユーザ機器とマクロセルおよび／またはフェムトセルとの間で伝送される信号を使用して測定することができる。従来のシステムは、マクロセルによって送信された信号のチャネル品質および／または信号強度がフェムトセルに関する測定されたチャネル品質および／または信号強度と比較して悪い時に、ユーザ機器をマクロセルからフェムトセルへハンド・オフする。しかし、従来のハンドオフ判断基準は、包括的なフェムトセル、特定のユーザ機器に関連するフェムトセル、およびマクロセルの間で区別しない。その結果、ユーザ機器は、マクロ−セルラ・ネットワーク内の無線条件が十分に高品質である限り、ユーザが関連するフェムトセルによってカバーされる家庭または会社の内部にいる場合であっても、許可されたホーム・フェムトセルおよび／または会社フェムトセルにハンド・オフされない場合がある。たとえば、フェムトセルが、マクロセルとは異なる周波数上にあるときに、マクロ−セルラ・ネットワーク内の無線条件は、たとえばフェムトセルがマクロセルのカバレージ・エリアの中央で展開されるときに、フェムトセルへの実質的にすべてのハンドオーバを防ぐのに十分に高品質のままになる場合がある。
【先行技術文献】
【特許文献】
【００１１】
【特許文献１】米国特許出願第１２／２６５，１３６号
【特許文献２】米国特許出願第１２／２６５，１７３号
【特許文献３】米国特許出願第１２／２６５，２１５号
【発明の概要】
【課題を解決するための手段】
【００１２】
開示される主題は、上で示した問題のうちの１つまたは複数の影響に対処することを対象とする。次では、開示される主題のいくつかの態様の基本的な理解を提供するために、開示される主題の単純化された要約を提示する。この要約は、開示される主題の網羅的な概要ではない。開示される主題の主要な要素またはクリティカルな要素を識別することも、開示される主題の範囲を区切ることも、意図されていない。その唯一の目的は、後で述べられるより詳細な説明の前置きとして、単純化された形でいくつかの概念を提示することである。
【００１３】
一実施形態では、１つまたは複数のマクロセルおよび１つまたは複数のフェムトセルを含む無線通信システムと通信するように構成されたユーザ機器で実施される方法が提供される。この方法は、ユーザ機器で、ユーザ機器の位置および１つまたは複数のフェムトセルの位置を比較するステップを含む。この方法は、比較が、ユーザ機器がフェムトセル（１つまたは複数）の選択された範囲内にあることを示すときに、ユーザ機器からマクロセル（１つまたは複数）に、位置ベースのイベントと共に第１測定値レポートを送信するステップをも含む。
【００１４】
もう１つの実施形態では、１つまたは複数のマクロセルおよび１つまたは複数のフェムトセルを含む無線通信システムでの展開のために構成された無線ネットワーク制御装置で実施される方法が提供される。この方法は、マクロセル（１つまたは複数）から、ユーザ機器に関連する位置とフェムトセル（１つまたは複数）に関連する位置との比較が、ユーザ機器がフェムトセル（１つまたは複数）の選択された範囲内にあることを示すときにユーザ機器によって送信される第１測定値レポートを受信するステップを含む。
【００１５】
開示される主題は、添付図面と共に解釈される次の説明を参照することによって理解することができ、添付図面では、同様の符号が、同様の要素を識別する。
【図面の簡単な説明】
【００１６】
【図１】無線通信システムの第１の例示的実施形態を概念的に示す図である。
【図２】無線通信システムの第２の例示的実施形態を概念的に示す図である。
【図３】同一周波数上で動作するマクロセルとフェムトセルとの間でユーザ機器をハンド・オフする方法の第１の例示的な実施形態を概念的に示す図である。
【図４】異なる周波数上で動作するマクロセルとフェムトセルとの間でユーザ機器をハンド・オフする方法の第２の例示的な実施形態を概念的に示す図である。
【発明を実施するための形態】
【００１７】
開示される主題は、さまざまな変更および代替の形態を許すが、その特定の実施形態が、図面に例として示され、本明細書で詳細に説明される。しかし、特定の実施形態の本明細書での説明が、開示される主題を開示される特定の形態に限定することを意図されているのではなく、逆に、その意図が、添付の特許請求の範囲の範囲に含まれるすべての修正形態、同等物、および代替形態を包含することであることを理解されたい。
【００１８】
例示的実施形態を、下で説明する。明瞭さのために、実際の実施態様の特徴の一部は、本明細書では説明されない。もちろん、そのような実際の実施形態の開発において、実施態様ごとに異なる、システム関連制約およびビジネス関連制約の遵守など、開発者の固有の目標を達成するために、多数の実施態様固有の判断を行わなければならないことを了解されたい。さらに、そのような開発努力が、複雑であり、時間のかかるものである場合があるが、それでも、本開示の利益を有する当業者にとって日常の仕事であることを了解されたい。
【００１９】
開示される主題を、これから、添付図面を参照して説明する。さまざまな構造、システム、およびデバイスが、説明のみのために、また、当業者に周知の詳細で本発明を不明瞭にしないようにするために、図面では概略的に示される。それでも、添付図面は、開示される主題の例示的な例を記述し、説明するために含まれる。本明細書で使用される単語および句は、当業者によるこれらの単語および句の理解と一貫する意味を有すると理解され、解釈されなければならない。用語または句の特殊な定義すなわち、当業者によって理解される通常の慣例的な意味とは異なる定義が、本明細書での用語または句の一貫した使用によって暗示されることは、意図されていない。用語または句が、特殊な意味すなわち、当業者によって理解されるものとは異なる意味を有することが意図される範囲で、そのような特殊な定義は、用語または句の特殊な定義を直接に明確に提供する定義的な形で本明細書で特に示される。
【００２０】
図１に、無線通信システム１００の第１の例示的実施形態を概念的に示す。図示の実施形態では、基地局１０５は、複数のマクロセル１１０（１〜３）に無線接続性を提供する。インデックス（１〜３）を、個々のマクロセル１１０（１）またはそのサブセットを識別するのに使用することができるが、これらのインデックスは、マクロセル１１０を集合的に参照するときには削除される場合がある。この規約は、図面に示され、識別する符号および１つまたは複数の区別するインデックスを使用して参照される他の要素に適用される場合がある。図１に示されたマクロセル１１０は、基地局１０５に関連する異なるセクタに対応する。たとえば、基地局１０５は、３つのマクロセル１１０に関連する３つのセクタに無線接続性を提供する３つのアンテナ（またはアンテナの３つのグループ）を含むことができる。しかし、本開示の利益を有する当業者は、代替実施形態が、各マクロセル１１０に無線接続性を提供するのに異なる基地局１０５を使用できることを了解するに違いない。さらに、無線通信システム１００は、任意の個数のマクロセル１１０および／または基地局１０５を含むことができる。代替実施形態では、基地局１０５を、階層ネットワークまたは分散ネットワークの一部とすることができる。
【００２１】
無線通信システム１００は、フェムトセル１１５のオーバーレイ・ネットワークをも含む。たとえば、フェムトセル１１５を、個々のユーザ、会社、または他のエンティティによって、会社および／または住居内にインストールすることができる。明瞭さのために、４つのフェムトセル１１５だけが、図１に示されている。しかし、本開示の利益を有する当業者は、無線通信システム１００が、無線通信システム１００全体に分散した任意の個数のフェムトセル１１５を含むことができることを了解するに違いない。図１に示されたモバイル・ユニット１２０などのユーザ機器を、フェムトセル１１５のうちの１つまたは複数に関連付けることができる。たとえば、住居内にフェムトセル１１５（１）をインストールしたユーザは、ユーザ機器１２０がフェムトセル１１５（１）をそのプレミア・フェムトセルとして認識するように、ユーザ機器１２０を構成することができる。したがって、ユーザ機器１２０は、ユーザ機器１２０がプレミア・フェムトセル１１５（１）に接近する時に、プレミア・フェムトセル１１５（１）に優先的にハンド・オフすることができる。一実施形態では、フェムトセル１１５（１）を、フェムトセル・クラスタ（図１には図示せず）の一部とすることができる。
【００２２】
フェムトセル１１５（１）は、ユーザ機器１２０のプレミア・フェムトセルである。本明細書で使用されるときに、用語「プレミア・フェムトセル」は、ユーザ機器１２０がプレミア・フェムトセルに優先的にアクセスすることを許可されるようにするためにユーザ機器１２０に関連付けられたフェムトセルを指す。プレミア・フェムトセルを定義できる例示的状況は、ユーザによって彼らの家庭にインストールされたフェムトセル、仕事場にインストールされたフェムトセル（またはフェムトセルのクラスタ）、および類似物を含む。プレミア・フェムトセル１１５（１）に関するモビリティ情報を、ユーザ機器１２０内ならびに基地局１０５および／または基地局１０５に通信的に結合された無線ネットワーク制御装置（図１には図示せず）などのネットワーク・エンティティ内で格納することができる。例示的なモビリティ情報は、プレミア・フェムトセル１１５（１）を識別する情報、プレミア・フェムトセル１１５（１）の位置を示す情報、エア・インターフェースを介する通信のためにプレミア・フェムトセル１１５（１）によって使用される周波数（１つまたは複数）を示す情報、および類似物を含むが、これらに限定はされない。
【００２３】
図示の実施形態では、ユーザ機器１２０は、基地局１０５との既存の無線通信リンク１２５を有する、すなわち、ユーザ機器１２０は、基地局１０５によってサポートされる１つまたは複数のアンテナを介してマクロセル１１０（３）と通信している。ユーザ機器１２０は、その後、ユーザ機器１２０とそのプレミア・フェムトセル１１５（１）との間の距離１３０を判定することができる。たとえば、ユーザ機器１２０は、距離１３０を判定するために、その位置をプレミア・フェムトセル１１５（１）の位置と比較することができる。距離１３０が、選択された距離しきい値より小さい場合に、かつ、いくつかの場合に、無線通信リンク１３５の品質の１つまたは複数の測定値が選択された品質しきい値よりよい場合に、ユーザ機器１２０は、特定の位置ベースのイベントを有するメッセージを基地局１０５に送信して、フェムトセル１１５（１）へのハンドオフに関する位置ベースのしきい値および品質ベースのしきい値に達したことを示すことができる。その後、無線通信システム１００は、基地局１０５および対応するマクロセル１１０（３）からフェムトセル１１５（１）へのユーザ機器１２０のハンドオフを開始する。
【００２４】
図示の実施形態では、位置ベースのハンドオフは、ユーザ機器１２０に関連するプレミア・フェムトセル１１５（１）だけに適用される。したがって、マクロセル１１０（３）へのエア・インターフェース１２５が十分に高品質のチャネル条件またはエア・インターフェース１３５によってサポートされるチャネル条件よりよいチャネル条件を提供しつつある可能性がある場合であっても、ユーザ機器１２０をそのプレミア・フェムトセル１１５（１）に優先的にハンド・オフすることができる。
【００２５】
図２に、無線通信システム２００の第２の例示的実施形態を概念的に示す。図示の実施形態では、無線通信システム２００は、フェムトセル２０５、ユーザ機器２１０、基地局２１５、および無線ネットワーク制御装置（ＲＮＣ）２２０を含む。本開示の利益を有する当業者は、無線通信システム２００が、議論を不必要に不明瞭にすることを避けるために図２に図示されていない他の要素を含んでもよいことを了解するに違いない。フェムトセル２０５は、ユーザ機器２１０のプレミア・フェムトセルである。図示の実施形態では、フェムトセル２０５は、識別子およびフェムトセル２０５の位置を示す情報を含む情報２２５を格納する。位置情報は、フェムトセル２０５に組み込まれた全地球測位システム（ＧＰＳ）機能性またはユーザもしくはサービス・プロバイダによるフェムトセル２０５の手動構成を含む多数の異なる技法を使用して判定することができる。
【００２６】
隣接セル・リストが、通常は、無線ネットワーク制御装置２２０で維持され、その結果、無線ネットワーク制御装置２２０は、ユーザ機器２１０によって報告されるどのセルを潜在的なハンドオーバについて考慮しなければならないのかを知る。したがって、無線ネットワーク制御装置２２０は、隣接セル・リストにリストされないセルに関連する測定値報告を無視することができる。フェムトセル２０５を隣接セル・リストに含めることは、あるネットワーク内で展開される可能性があるフェムトセルの多い量に部分的に起因して、サービス・オペレータにとって面倒すぎ、手に余る場合がある。したがって、図示の実施形態では、フェムトセル２０５は、基地局２１５に対応するマクロセルに関連する隣接セル・リストには含まれない。しかし、ユーザ機器２１０は、それでも、その検出されるセル・セット２３７にフェムトセル２０５を含めることによって、フェムトセル２０５の距離および無線品質を測定することができる。その後、検出されるセル２３７に含まれるフェムトセル２０５を、無線ネットワーク制御装置２２０によってハンドオフについて検討することができる。ユーザ機器によって送信される測定値レポートは、その後にユーザ機器２１０をハンド・オフすべきかどうかを判定する時に検討される、検出されたセット内のフェムトセル２０５を含む。
【００２７】
ユーザ機器２１０は、フェムトセル２０５をそのプレミア・フェムトセルとして認識するように構成されている。図示の実施形態では、ユーザ機器２１０は、プレミア・フェムトセル２０５のアイデンティティ、プレミア・フェムトセル２０５の位置、およびプレミア・フェムトセル２０５に関連する任意の他のモビリティ・パラメータを格納する。例示的なモビリティ・パラメータは、プライマリ・スクランブリング・コード（ＰＳＣ）、ｉｎｔｅｒｎａｔｉｏｎａｌ  ｍｏｂｉｌｅ  ｓｕｂｓｃｒｉｂｅｒ  ｉｄｅｎｔｉｔｙ、ＵＴＲＡＮ  Ｒａｄｉｏ  Ｎｅｔｗｏｒｋ  Ｔｅｍｐｏｒａｒｙ  Ｉｄｅｎｔｉｆｉｅｒ（Ｕ−ＲＮＴＩ）、および類似物を含むが、これらに限定はされない。図示の実施形態では、ユーザ機器２１０は、モビリティに関連するフェムトセル情報を格納するために、ローカル変数、たとえばデータ構造２３０を定義する。図示の実施形態では、ユーザ機器２１０は、フェムトセル２０５からのセット・アップ・メッセージ内のＰｒｅｍｉｅｒＦｅｍｔｏＣｅｌｌＡｖａｉｌａｂｌｅブール値がＴＲＵＥにセットされているときに、現在のセル情報（モビリティに関連する）および位置情報（ＲＲＣ  Ｃｏｎｎｅｃｔｉｏｎ  Ｓｅｔｕｐメッセージ内でフェムトセル２０５によって提供され得る）をＰｒｅｍｉｅｒＦｅｍｔｏＣｅｌｌローカル・データ構造２３０に格納する。
【００２８】
無線ネットワーク制御装置２２０は、ユーザ機器２１０に関連する連絡先情報ならびに無線ネットワーク制御装置２２０に接続されるマクロセルによってサービスされる他のユーザ機器を格納するコンテキスト・データベース２３５を維持する。図示の実施形態では、無線ネットワーク制御装置２２０は、ユーザ機器２１０に関連する情報および、ユーザ機器２１０がプレミア・フェムトセルに関連することを示す情報を、ユーザ機器２１０のＲＲＣコンテキスト２３５に格納する。たとえば、ユーザ機器２１０のコンテキスト２３５は、識別子、プレミア・フェムトセルが使用可能であることを示すブール変数、プレミア・フェムトセル２０５によって使用される周波数を示すパラメータ、およびフェムトセル２０５の位置を含むことができる。ユーザ機器２１５のコンテキスト２３５が構成された後に、無線ネットワーク制御装置２２０は、ユーザ機器２１０がプレミア・フェムトセルに関連することを知る。ユーザ機器２１０は、単一のプレミア・フェムトセルに関連するものとして図示されているが、本開示の利益を有する当業者は、代替実施形態で、ユーザ機器２１０を複数のプレミア・フェムトセルに関連付けることができることを了解するに違いない。
【００２９】
図示の実施形態では、ユーザ機器２１０は、当初に、アップリンク２４０およびダウンリンク２４５を含む無線通信リンクを介して基地局２１５によってサービスされる。無線通信システム２００は、基地局２１５からプレミア・フェムトセル２０５へのハンドオフをトリガするのに使用できる２つのイベントを定義する。一方のイベントは、プレミア・フェムトセル２０５および基地局２１５がエア・インターフェースを介する通信に同一の周波数を使用するときに使用される位置ベースのイントラ周波数（ｉｎｔｒａ−ｆｒｅｑｕｅｎｃｙ）測定イベントであり、第２のイベントは、プレミア・フェムトセル２０５および基地局２１５が異なる周波数を使用するときに使用される位置ベースのインター周波数（ｉｎｔｅｒ−ｆｒｅｑｕｅｎｃｙ）測定イベントである。ＲＲＣ接続などの接続が、アップリンク２４０およびダウンリンク２４５を使用して確立された後に、無線ネットワーク制御装置２２０は、ユーザ機器２１０および基地局２１５によって使用される周波数に応じて、イントラ周波数イベントまたはインター周波数イベントのいずれかを使用するようにユーザ機器２１０を構成する。
【００３０】
ユーザ機器２１０は、その位置を知っている。図示の実施形態では、ユーザ機器２１０は、全地球測位システム（ＧＰＳ）衛星２６０（図２には１つだけ図示）のネットワークによって供給される信号２５５を使用してその位置を判定するためにＧＰＳ機能性２５０を含む。代替案では、ユーザ機器２１０は、ダウンリンク２４５を介して基地局２１５によって供給される情報を使用してその位置を知らされ得る。この手法を、ａｓｓｉｓｔｅｄ−ＧＰＳ技法と呼ぶことができる。したがって、ユーザ機器２１０は、プレミア・フェムトセル２０５がユーザ機器２１０からどれほど離れているのかを判定するために、プレミア・フェムトセル２０５の格納された位置を使用することができる。イントラ周波数イベントが構成される場合には、ユーザ機器２１０は、距離２６５がしきい値未満になるときに、かつ、いくつかの場合に、フェムトセル２０５へのエア・インターフェース２７０のチャネル品質が、ハンド・オフの必要を示す構成されたしきい値よりよいときに、測定値レポートをマクロセル（すなわち、基地局２１５）に送信する。その後、無線ネットワーク制御装置２２０は、イントラ周波数イベントに応答して、イントラ周波数ハンドオフを実行することができる。その代わりに、インター周波数イベントが構成される場合には、ユーザ機器２１０は、距離２６５がハンドオフを示すしきい値未満になるときに、測定値レポートをマクロセルに送信する。その後、無線ネットワーク制御装置２２０は、圧縮モード測定を開始することによって、インター周波数モビリティ手順を開始する。ユーザ機器２１０は、圧縮モードでエア・インターフェース２７０のチャネル品質測定を実行することができる。フェムトセル２０５へのチャネル品質が、適切なレベル（たとえば、選択されたしきい値によって示される）に達するときに、ユーザ機器２１０は、無線ネットワーク制御装置２２０に通知することができ、無線ネットワーク制御装置２２０は、フェムトセル２０５へのインター周波数ハンドオフを完了する。
【００３１】
図３に、マクロセル（ＭＣ／ＲＮＣ）からプレミア・フェムトセル（ＰＦＣ）へユーザ機器（ＵＥ）をハンド・オフする方法３００の第１の例示的実施形態を概念的に示す。第１の例示的実施形態では、マクロセルおよびプレミア・フェムトセルは、エア・インターフェースを介する通信に同一の周波数を使用する。したがって、第１の例示的実施形態は、イントラ周波数ハンドオフ手順を示す。当初に、ＲＲＣ接続が、ユーザ機器とマクロセルとの間で確立される（３０５で）。その後、マクロセルは、ユーザ機器が、関連付けられたプレミア・フェムトセルを有するかどうかを判定する（３１０で）。たとえば、マクロセルは、ユーザ機器に関連するコンテキストを調べて、変数ＰｒｅｍｉｅｒＦｅｍｔｏＣｅｌｌＡｖａｉｌａｂｌｅがＴＲＵＥにセットされているかどうかを判定することができる（３１０で）。図示の実施形態では、ユーザ機器は、関連付けられたプレミア・フェムトセルを有し、したがって、マクロセルは、ユーザ機器と通信するためにプレミア・フェムトセルによって使用される周波数をも判定し（３１０で）、この周波数は、第１の例示的実施形態ではマクロセルの周波数と同一である。
【００３２】
その後、マクロセルは、位置ベースのイントラ周波数イベントを構成するのに使用される情報を含む測定制御メッセージを送信する（３１５で）。ユーザ機器は、この情報を受信し、位置ベースのイントラ周波数イベントを構成する（３２０で）。ユーザ機器は、位置ベースのハンドオフのしきい値、ハンドオフに必要なチャネル品質のしきい値、および類似物を含む、位置ベースのイントラ周波数イベントに関連するパラメータを格納することもできる（３２０で）。その後、呼および／またはセッションを、ユーザ機器とマクロセルとの間で確立することができる（３２５で）。このプロセスのこの点で（点線３３０によって示される）、ユーザ機器とマクロセルとの間の呼が、進行することができる。しかし、ユーザ機器は、その位置をそのプレミア・フェムトセルの位置と比較し続け、いくつかの場合に、フェムトセルへのエア・インターフェースに関連するチャネル品質を監視し続ける。
【００３３】
ユーザ機器は、ユーザ機器とプレミア・フェムトセルとの間の距離がしきい値未満になったかどうかを判定する（３３５で）。たとえば、ユーザ機器は、その現在位置をユーザ機器のメモリに格納されたプレミア・フェムトセルの位置と比較して（３３５で）、距離
ＵＥ＿ＰｒｅｍｉｅｒＦｅｍｔｏ＿ｄｉｓｔａｎｃｅ＝ＵＥ＿ｃｏｏｒｄｉｎａｔｅｓ−ｐｒｅｍｉｅｒＦｅｍｔｏ＿ｃｏｏｒｄｉｎａｔｅｓ
を判定することができる。その後、この距離をしきい値と比較することができ、ハンドオフ手順を、
ＵＥ＿ＰｒｅｍｉｅｒＦｅｍｔｏ＿ｄｉｓｔａｎｃｅ＜ＭａｃｒｏＴｏＦｅｍｔｏＤｉｓｔａｎｃｅＴｈｒｅｓｈｏｌｄ
の場合にトリガすることができる。その後、ユーザ機器は、ユーザ機器とフェムトセルとの間のチャネルの品質が、エア・インターフェースを介する通信をサポートするのに十分に高いかどうかを判定する（３３５で）。たとえば、ユーザ機器は、プレミア・フェムトセルによって送信されたパイロット・チャネル（ＣＰＩＣＨ）を使用して、信号対雑音比または受信信号チャネル電力（ＲＳＣＰ）のいずれかに基づいてチャネルの品質を査定することができる。マクロセルからフェムトセルへの追加のイントラ周波数ハンドオーバ判断基準は、
ＣＰＩＣＨ  Ｅｃ／Ｎｏ＞ｅｖｅｎｔ１ｋＥｃＮｏＴｈｒｅｓｈｏｌｄ
および／または
ＣＰＩＣＨ  ＲＳＣＰ＞ｅｖｅｎｔ１ｋＲＳＣＰＴｈｒｅｓｈｏｌｄ
である場合に満足される。ハンドオーバ条件が満足されるときには、ユーザ機器は、位置ベースのイントラ周波数ハンドオフ・イベントが発生したことを示す情報を含む測定値レポートを送信する（３４０で）。この測定値レポートは、プライマリ・スクランブリング・コード、タイミング情報および／またはオフセット情報、ＣＰＩＣＨ  Ｅｃ／Ｎｏ、ＣＰＩＣＨ  ＲＳＣＰ、ならびに類似物を含むがこれらに限定はされない他のモビリティ情報をも含むことができる。したがって、ユーザ機器のハンドオーバは、フェムトセルへのチャネルの品質が十分に高い限り、プレミア・フェムトセルへのユーザ機器の近接によってトリガされる。この手順では、ユーザ機器とマクロセルとの間の通信に関連するチャネル品質は、ユーザ機器をプレミア・フェムトセルにハンド・オフすべきかどうかを判断する時に考慮される必要がない。
【００３４】
無線ネットワーク制御装置（ＲＮＣ）は、測定値レポートに含まれる情報を使用して、マクロセルからフェムトセルへのユーザ機器のハンドオーバを実行する（３４５で）。一実施形態では、無線ネットワーク制御装置は、Ｉｕ  Ｒｅｌｏｃａｔｉｏｎ  Ｒｅｑｕｅｓｔを使用して、ユーザ機器のプライマリ・スクランブリング・コード（ＰＳＣ）およびｉｎｔｅｒｎａｔｉｏｎａｌ  ｍｏｂｉｌｅ  ｓｕｂｓｃｒｉｂｅｒ  ｉｄｅｎｔｉｔｙ（ＩＭＳＩ）をＢＳＧフェムトセル・ゲートウェイに送信することができる。ゲートウェイは、フェムトセルプライマリ・スクランブリング・コードおよびユーザ機器のＩＭＳＩをプレミア・フェムトセルの識別子にマッピングする。その後、ゲートウェイは、Ｉｕ  Ｒｅｌｏｃａｔｉｏｎ  Ｃｏｍｍａｎｄをプレミア・フェムトセルに送信することができ、無線ネットワーク制御装置は、Ｉｕ  Ｒｅｃｏｎｆｉｇｕｒａｔｉｏｎ  Ｒｅｑｕｅｓｔをユーザ機器に送信する（３５０で）。この再構成要求は、プレミア・フェムトセルを識別する詳細を含み、その結果、ユーザ機器が、プレミア・フェムトセルとの通信を確立できるようになる。その後、ユーザ機器は、マクロセルからプレミア・フェムトセルにハンド・オフする（３５５で）。
【００３５】
図４に、マクロセル（ＭＣ／ＲＮＣ）からプレミア・フェムトセル（ＰＦＣ）へユーザ機器（ＵＥ）をハンド・オフする方法４００の第２の例示的実施形態を概念的に示す。第２の例示的実施形態では、マクロセルおよびプレミア・フェムトセルは、エア・インターフェースを介する通信に異なる周波数を使用する。したがって、第２の例示的実施形態は、インター周波数ハンドオフ手順を示す。当初に、ＲＲＣ接続が、ユーザ機器とマクロセルとの間で確立される（４０５で）。その後、マクロセルは、ユーザ機器が、関連付けられたプレミア・フェムトセルを有するかどうかを判定する（４１０で）。たとえば、マクロセルは、ユーザ機器に関連するコンテキストを調べて、変数ＰｒｅｍｉｅｒＦｅｍｔｏＣｅｌｌＡｖａｉｌａｂｌｅがＴＲＵＥにセットされているかどうかを判定することができる（４１０で）。図示の実施形態では、ユーザ機器は、関連付けられたプレミア・フェムトセルを有し、したがって、マクロセルは、ユーザ機器と通信するためにプレミア・フェムトセルによって使用される周波数をも判定し（４１０で）、この周波数は、第２の例示的実施形態ではマクロセルの周波数とは異なる。
【００３６】
その後、マクロセルは、位置ベースのインター周波数イベントを構成するのに使用される情報を含む測定制御メッセージを送信する（４１５で）。ユーザ機器は、この情報を受信し、位置ベースのインター周波数イベントを構成する（４２０で）。ユーザ機器は、位置ベースのハンドオフのしきい値、ハンドオフに必要なチャネル品質のしきい値、マクロセルによって使用される周波数、および類似物を含む、位置ベースのインター周波数イベントに関連するパラメータを格納することもできる（４２０で）。その後、呼および／またはセッションを、ユーザ機器とマクロセルとの間で確立することができる（４２５で）。このプロセスのこの点で（点線４３０によって示される）、ユーザ機器とマクロセルとの間の呼またはセッションが、進行することができる。しかし、ユーザ機器は、その位置をそのプレミア・フェムトセルの位置と比較し続け、いくつかの場合に、フェムトセルへのエア・インターフェースに関連するチャネル品質を監視し続ける。
【００３７】
ユーザ機器は、ユーザ機器とプレミア・フェムトセルとの間の距離がしきい値未満になったことを判定する（４３５で）。たとえば、ユーザ機器は、その現在位置をユーザ機器のメモリに格納されたプレミア・フェムトセルの位置と比較して（４３５で）、距離
ＵＥ＿ＰｒｅｍｉｅｒＦｅｍｔｏ＿ｄｉｓｔａｎｃｅ＝ＵＥ＿ｃｏｏｒｄｉｎａｔｅｓ−ｐｒｅｍｉｅｒＦｅｍｔｏ＿ｃｏｏｒｄｉｎａｔｅｓ
を判定することができる。その後、この距離をしきい値と比較することができ、ハンドオフ手順を、
ＵＥ＿ＰｒｅｍｉｅｒＦｅｍｔｏ＿ｄｉｓｔａｎｃｅ＜ＭａｃｒｏＴｏＦｅｍｔｏＤｉｓｔａｎｃｅＴｈｒｅｓｈｏｌｄ
の場合にトリガすることができる。距離判断基準が満足されるときには、ユーザ機器は、位置ベースのインター周波数ハンドオフ・イベントが発生したことを示す情報を含む測定値レポートを送信する（４４０で）。その後、マクロセルは、ユーザ機器がインター周波数圧縮モードで動作しなければならないことを示すメッセージを用いて応答する（４４５で）。一実施形態では、インター周波数圧縮モードをアクティブ化する測定制御メッセージは、このユーザ機器によって許可されるプレミア・フェムトセルについてのみ使用される。
【００３８】
ユーザ機器がこのメッセージを受信する時に、ユーザ機器は、圧縮モードに入り（４５０で）、たとえばフェムトセルによって送信されたパイロット・チャネルを使用して、さまざまなチャネル品質測定を実行する。ユーザ機器は、インター周波数圧縮モード測定値を使用して、ユーザ機器とフェムトセルとの間のチャネルの品質がエア・インターフェースを介する通信をサポートするのに十分に高いかどうかを判定する（４５０で）。たとえば、ユーザ機器は、プレミア・フェムトセルによって送信されたパイロット・チャネル（ＣＰＩＣＨ）を使用して、信号対雑音比および／または受信信号チャネル電力（ＲＳＣＰ）に基づいてチャネルの品質を査定することができる。その後、
ＣＰＩＣＨ  Ｅｃ／Ｎｏ＞ｅｖｅｎｔ２ｇＥｃＮｏＴｈｒｅｓｈｏｌｄ
および／または
ＣＰＩＣＨ  ＲＳＣＰ＞ｅｖｅｎｔ２ｇＲＳＣＰＴｈｒｅｓｈｏｌｄ
である場合に、マクロセルからフェムトセルへのインター周波数ハンドオーバをトリガすることができる。ハンドオーバ条件（１つまたは複数）が満足されるときに、ユーザ機器は、インター周波数ハンドオフ・イベント・チャネル条件が満足されたことを示す情報を含む測定値レポートを送信する（４５５で）。測定値レポートは、プライマリ・スクランブリング・コード、タイミング情報および／またはオフセット情報、ＣＰＩＣＨ  Ｅｃ／Ｎｏ、ＣＰＩＣＨ  ＲＳＣＰ、および類似物を含むがこれらに限定されない他のモビリティ情報をも含むことができる。したがって、ユーザ機器のインター周波数ハンドオーバは、フェムトセルへのチャネルの品質が十分に高い限り、プレミア・フェムトセルへのユーザ機器の近接によってトリガされる。この手順では、ユーザ機器とマクロセルとの間の通信に関連するチャネル品質は、ユーザ機器をプレミア・フェムトセルにハンド・オフすべきかどうかを判断する時に考慮される必要がない。
【００３９】
無線ネットワーク制御装置（ＲＮＣ）は、測定値レポートに含まれる情報を使用して、マクロセルからフェムトセルへのユーザ機器のインター周波数ハンドオーバを実行する（４６０で）。一実施形態では、無線ネットワーク制御装置は、Ｉｕ  Ｒｅｌｏｃａｔｉｏｎ  Ｒｅｑｕｅｓｔを使用して、ユーザ機器のプライマリ・スクランブリング・コードおよびｉｎｔｅｒｎａｔｉｏｎａｌ  ｍｏｂｉｌｅ  ｓｕｂｓｃｒｉｂｅｒ  ｉｄｅｎｔｉｔｙ（ＩＭＳＩ）をＢＳＧフェムトセル・ゲートウェイに送信することができる。ゲートウェイは、フェムトセルプライマリ・スクランブリング・コードおよびユーザ機器のＩＭＳＩをプレミア・フェムトセルの識別子にマッピングする。その後、ゲートウェイは、Ｉｕ  Ｒｅｌｏｃａｔｉｏｎ  Ｃｏｍｍａｎｄをプレミア・フェムトセルに送信することができ、無線ネットワーク制御装置は、Ｉｕ  Ｒｅｃｏｎｆｉｇｕｒａｔｉｏｎ  Ｒｅｑｕｅｓｔをユーザ機器に送信する（４６５で）。この再構成要求は、プレミア・フェムトセルを識別する詳細を含み、その結果、ユーザ機器が、プレミア・フェムトセルとの通信を確立できるようになる。その後、ユーザ機器は、マクロセルからプレミア・フェムトセルにハンド・オフする（４７０で）。
【００４０】
開示される主題の諸部分および対応する詳細な説明は、ソフトウェアすなわち、コンピュータ・メモリ内のデータ・ビットに対する動作のアルゴリズムおよび記号表現に関して提示される。これらの説明および表現は、当業者が彼らの作業の実質をそれによって他の当業者に効率的に伝える説明および表現である。アルゴリズムは、この用語が本明細書で使用されるときに、および一般に使用されるときに、所望の結果につながるステップの自己完結的シーケンスと考えられる。ステップは、物理的量の物理的操作を必要とするステップである。必ずではないが通常、これらの量は、格納され、転送され、組み合わされ、比較され、かつ他の形で操作され得る、光信号、電気信号、または磁気信号の形をとる。時々、主に一般的な使用の理由から、これらの信号をビット、値、要素、記号、文字、項、数、または類似物と称することが便利であることがわかっている。
【００４１】
しかし、これらおよび類似する用語のすべてが、適切な物理量に関連付けられなければならず、単にこれらの量に適用される便利なラベルであることに留意されたい。そうではないと特に述べられない限り、または議論から明白であるように、「処理」、「コンピューティング」、「計算」、「判定」、「表示」、または類似物などの用語は、コンピュータ・システムのレジスタおよびメモリ内の物理的電子的量として表されたデータを操作し、コンピュータ・システムメモリもしくはレジスタまたは他のそのような情報ストレージ・デバイス、情報伝送デバイス、または情報表示デバイス内の物理量として同様に表される他のデータに変換する、コンピュータ・システムまたは類似する電子コンピューティング・デバイスのアクションおよびプロセスを指す。
【００４２】
また、開示される主題のソフトウェア実施される諸態様が、通常は、ある形のプログラム記憶媒体上で符号化され、またはあるタイプの伝送媒体を介して実施されることに留意されたい。プログラム記憶媒体は、磁気（たとえば、フロッピ・ディスクまたはハード・ドライブ）または光学（たとえば、コンパクト・ディスク読取り専用メモリすなわち「ＣＤ  ＲＯＭ」）とすることができ、読取り専用またはランダム・アクセスとすることができる。同様に、伝送媒体は、より対線、同軸ケーブル、光ファイバ、または当技術分野で既知のある他の適切な伝送媒体とすることができる。開示される主題は、任意の所与の実施態様のこれらの態様によって限定はされない。
【００４３】
上で開示された特定の実施形態は、例示にすぎない。というのは、開示される主題を、本明細書の教示の利益を有する当業者に明白な、異なるが同等の形で変更し、実施することができるからである。さらに、下の特許請求の範囲に記載されたものと異なる、本明細書で示された構成または設計の詳細への限定は、意図されていない。したがって、上で開示された特定の実施形態を、変更しまたは修正することができ、すべてのそのような変形形態が、開示される主題の範囲内と考えられることは、明白である。したがって、本明細書で求められる保護は、下の特許請求の範囲に示されている。
【図１】
2012507912.tif 000003
【図２】
2012507912.tif 000004
【図３】
2012507912.tif 000005
【図４】
2012507912.tif 000006
【国際調査報告】
2012507912.tif 000007
2012507912.tif 000008
2012507912.tif 000009